(57)【要約】【課題】ゴムクロ−ラの旋回抵抗が小さいゴムクロ−ラとなったもので、ラグの先細り指数を特定することによって実用性の高いゴムクロ−ラが得られたものである。【解決手段】ゴムクロ−ラの外周面に形成したラグにあって、ラグが、スプロケットの二ピッチに跨がって形成され、ラグ基部の長手方向幅Ｗａに対し、ラグの端部幅Ｗｂを先細形状とし、Ｗｂ：Ｗａが０〜３０％であるゴムクロ−ラ。１‥ゴムクローラ、２‥スプロケット孔、３、４‥ラグ、３ａ、４ａ‥ラグの基部、Ｗａ‥ラグ基部の幅、Ｗｂ‥ラグ端部の幅。【選択図】図６
2007210478.tif 000002
【特許請求の範囲】
【請求項１】
ゴムクロ−ラの外周面に形成したラグにあって、ラグ基部の長手方向幅Ｗａに対し、ラグの端部幅Ｗｂを先細形状としたことを特徴とするゴムクロ−ラ。
【請求項２】
Ｗｂ：Ｗａが、０〜３０％である請求項１記載のゴムクロ−ラ。
【請求項３】
ラグが、スプロケットの二ピッチに跨がって形成された請求項１又は２記載のゴムクロ−ラ。
【請求項４】
ラグが、ゴムクロ−ラの左右幅方向に分断された請求項３記載のゴムクロ−ラ。
【請求項５】
ラグが、長手方向に千鳥状に配した請求項４記載のゴムクロ−ラ。
【請求項６】
ゴムクロ−ラの外周面に、スプロケットの二ピッチに跨がり、かつ、ゴムクロ−ラの左右幅方向に分断され、更に長手方向に千鳥状に配置されラグが形成され、当該ラグの基部の長手方向幅Ｗａに対し、ラグの端部幅Ｗｂを、０〜３０％の先細形状としたことを特徴とするゴムクロ−ラ。
【発明の詳細な説明】
【技術分野】
【０００１】
本発明はゴムクロ−ラの改良に関し、特に旋回性を向上させたゴムクロ−ラに係るものである。
【背景技術】
【０００２】
ゴムクロ−ラはその無端状の長手方向に添ってスチ−ルコ−ドが埋設され、外周面にラグが形成されて走行面と接触する構造となっている。そして、ゴムクロ−ラは車両機体に備えられたスプロケット及びアイドラに巻き掛けされて走行に供されるものであり、前記のラグはスプロケットの一つ一つに対応して或いはこの二つに対応して形成されている。これはスプロケットのピッチ間隔やラグが支えることとなる車両機体の重量等からどちらにするかが選択される。
【０００３】
ゴムクローラを装着した車両機体を旋回する際には、一方側のクローラの回転を止めてブレ−キの役割をなし、他方側のクロ−ラを駆動させていわゆるピボットターンを行うこととなる。
【０００４】
しかるに、ブレーキ側のゴムクローラにおけるラグと地面との間の摩擦抵抗を小さくすることにより旋回性を容易にすることができるが、前記したようにゴムクローラの外表面には駆動力を伝達するためのラグが形成されているため、旋回時の摩擦抵抗は大きく、旋回性は良好であるとは言えない。
【発明の開示】
【発明が解決しようとする課題】
【０００５】
本発明は上記したような従来技術に鑑みてなされたものであり、ゴムクロ−ラの旋回時の抵抗を小さくして旋回性を高めることを目的としたものである。
【課題を解決するための手段】
【０００６】
本発明の要旨は、ゴムクロ−ラの外周面に形成したラグにあって、ラグ基部の長手方向幅Ｗａに対し、ラグの端部幅Ｗｂを先細形状としたことを特徴とするゴムクロ−ラにかかるものである。
【０００７】
そして、具体的な構成としては、ゴムクロ−ラの外周面に、スプロケットの二ピッチに跨がり、かつ、ゴムクロ−ラの左右幅方向に分断され、更に長手方向に千鳥状に配置されラグが形成され、当該ラグの基部の長手方向幅Ｗａに対し、ラグの端部幅Ｗｂを、０〜３０％の先細形状としたことを特徴とするゴムクロ−ラである。
【発明の効果】
【０００８】
本発明によって構成されたゴムクロ−ラは旋回抵抗が小さいゴムクロ−ラとなったもので、ラグの先細り指数を特定することによって実用性の高いゴムクロ−ラが得られたものである。
【発明を実施するための最良の形態】
【０００９】
特に、図８に示すようなラグがスプロケットに対し二つのピッチ対応してラグが形成された場合には、旋回性が低下しエネルギ−の大きなロスが生じている。本発明は主としていわゆる二ピッチに対応して形成されたラグを備えたゴムクロ−ラの旋回性を向上させることをその主眼とするものである。
【００１０】
図中、符号１１はゴムクロ−ラ、１２はラグ、１３は図示しないスプロケットとの噛み合いをなすスプロケット孔である。そして、この例ではスプロケット孔１３、１３間に横向きに芯金１４が埋設されている。このラグ１２は前記したようにスプロケットに対し二つのピッチ対応してラグ１２が左右に分断（１２ａ、１２ｂ）され、しかも長手方向に千鳥状にずらして形成された例である。
【００１１】
係るゴムクロ−ラの旋回時にあっては、前述したように車両機体に装着された一方側のゴムクロ−ラの進行（回転）を止め、他方側を旋回方向に回転（駆動）させることとなるが、旋回時の抵抗の原因を精査し係る知見に基づいて本発明に達したものである。即ち、旋回時の抵抗の大きな原因はラグ１２の構造にあり、特にラグ１２の幅端部の平坦部Ｓが大きく影響するものであり、この面Ｓによって泥を押す現象となり、これが旋回時の大きな抵抗源となっていることが判明した。更に言えば、二ピッチに跨がって形成されたラグ１２にあっては、ゴムクロ−ラの走行方向に対する幅が特に広い構造となっており、旋回時にはラグ１２の端部平面Ｓが泥を左右に分けることなく、単に泥を押すこととなるために抵抗が大きくなることが判明した。
【００１２】
本発明はこのように旋回性の良好なゴムクローラを提供するものであり、ゴムクローラの外表面に形成したラグの形状を特定して旋回性を向上しようとするものである。そして、ラグの幅端部Ｗｂがラグの基部Ｗａが０〜３０％の範囲であることにより特にその効果が優れたものとなったのである。尚、通常、Ｗａ、Ｗｂはラグの頂面の幅を言う。
【００１３】
そして、ラグがスプロケットの二ピッチに跨がって形成された場合に特に効果的であり、このことは、旋回時に最も抵抗が生じるであろうラグの幅端部の平面を少なくすることによって本発明の目的が達成されるものである。
【００１４】
尚、本発明と同じ目的をもって提案された特許文献１は、ラグによる旋回性の抵抗を和らげる目的で、ラグ頂面に面取りを施した技術であり、或る程度の効果はもたらされるが根本的な解決にはなっておらず、さほどの効果が期待できないのが現状である。
【００１５】
【特許文献１】特開２０００−２１１５６２号公報
【実施例】
【００１６】
以下、本発明を実施例をもって更に説明する。図１は本発明の第１例におけるゴムクロ−ラの外周面側平面図、図２は内表面側平面図、図４は側面図、図４はＡーＡ線での断面図である。符号１は無端ゴムクローラであり、その長手方向中央にスプロケット孔２が一定間隔をもって形成されている。その外表面側にラグ３、４がゴムクローラの幅方向の左右にスプロケット孔２を挟んで長手方向に千鳥状に一ピッチずらして形成されている。５はゴムクローラ１の長手方向に列状をなして埋設されたスチールコードである。６はスチールコード５の内周側に位置して埋設された芯金である。この芯金６は一対の突起７、７を有し、これがゴムクローラ１の内表面より突出して図示しないローラやスプロケットの外れ防止に寄与するものである。
【００１７】
さて、図のゴムクローラにおけるラグ３、４は、二ピッチ、即ちスプロケット孔２の二つに対応して一つのラグ３、４を形成したものであり、これがゴムクロ−ラの長手方向に一ピッチずらして千鳥状に形成されている。そして、従来のラグにあってはラグ３、４の基部３ａ、４ａの幅（頂面幅）Ｗａはそのままの幅をもって左右に伸びて形成されているが、本発明ではラグ３、４の幅端部（頂面幅）Ｗｂを先細形状としたものである。
【００１８】
図５は本発明の第２例におけるゴムクロ−ラの外表面側平面図である。この例では、ラグ３、４の千鳥形態を更に進めて二ピッチずらしたものである。その代わりに小さい幅を持つ第三のラグ８を挿入してなるものであり、ラグ３、４のずれに伴う振動の発生をこのラグ８の存在により低減する構造としたものである。勿論ラグ３、４の形状は前例とほぼ同様の形状をなしているものであり、ここでは詳細は省略するがラグ３、４は先細形状をなしている。
【００１９】
図６は本発明の第３例におけるゴムクロ−ラの外表面側平面図である。図例にあっては、ラグ３、４の幅を端部になるにつれて細くし、特に二段形状とすることによって泥の排出（泥内へのラグの侵入）を容易とし、かつラグ全体として強度が保持されることとなったものである。
【００２０】
さて、図７は図６にて示したゴムクロ−ラをもってラグの先細りと旋回性抵抗指数を検証したデ−タ−である。尚、旋回抵抗指数は先細りがないラグ場の合を１００％として旋回抵抗を指数にて表したものである。この図から見て、先細り指数（Ｗｂ／Ｗａ）が０〜３０％の状態では旋回抵抗指数が特に低下し、しかもその性状が安定しているものであり、この部位の数値が実用に供することができる範囲と特定したものである。
【産業上の利用可能性】
【００２１】
本発明は特にラグの幅を大きく設計する際に特に重要となるものであり、建築機械や土木作業機械に広く採用可能であり、その利用範囲は広い。
【図面の簡単な説明】
【００２２】
【図１】図１は本発明の第１例におけるゴムクロ−ラの外周面側平面図である。
【図２】図２は図１のゴムクロ−ラの内表面側平面図である。
【図３】図３は図１のゴムクロ−ラの側面図である。
【図４】図４は図１のＡーＡ線での拡大断面図である。
【図５】図５は本発明の第２例における外周面側平面図である。
【図６】図６は本発明の第３例における外周面側平面図である。
【図７】図７は図６のゴムクロ−ラを用いた旋回抵抗指数を示すグラフである。
【図８】図８は従来のゴムクロ−ラの外周面側平面図である。
【符号の説明】
【００２３】
１‥ゴムクローラ、
２‥スプロケット孔、
３、４‥ラグ、
３ａ、４ａ‥ラグの基部、
Ｗａ‥ラグ基部の幅、
Ｗｂ‥ラグ端部の幅、
Ｓ‥ラグ端部の平面。
【図１】
2007210478.tif 000003
【図２】
2007210478.tif 000004
【図３】
2007210478.tif 000005
【図４】
2007210478.tif 000006
【図５】
2007210478.tif 000007
【図６】
2007210478.tif 000008
【図７】
2007210478.tif 000009
【図８】
2007210478.tif 000010